(57)【要約】【課題】スキミング装置が取り付けられている場合、そのことを顧客に確実に認識させて、データの不正使用を予防する。【解決手段】カード排出時にカードの先端がカード処理部２のカード挿入排出口から突出する長さを、顧客がカード先端を指先で摘んで引抜くために必要な最低限の長さ以上でかつスキミング装置の厚さ以下の長さになるように制御することで、カード挿入排出口にスキミング装置が取付けられた場合、顧客がカードを引き抜くことを不可能にする。【選択図】図１
2010122833.tif 000002
【特許請求の範囲】
【請求項１】
取引の選択や取引に必要な顧客の操作の誘導を行う画面などを表示する操作表示部と、媒体挿入排出口から挿入された顧客の取引媒体を取込んで該取引媒体に設けられている磁気ストライプからデータを読取るデータ読取り部を備えた自動取引装置において、
取引媒体排出時に、取引媒体の先端が前記媒体挿入排出口から突出する長さを、顧客が取引媒体を指先で摘んで引抜くために必要な最低限の長さ以上でかつ前記媒体挿入排出口に取付けられるスキミング装置の厚さ以下の長さになるように制御することを特徴とする自動取引装置。
【請求項２】
請求項１記載の自動取引装置において、
前記取引媒体の先端を前記媒体挿入排出口から突出させたとき、取引媒体の先端が見えるか否かを確認する確認画面を表示し、該確認画面で取引媒体の先端が見える旨の入力が行われた場合、前記取引媒体の先端を更に突出させることを特徴とする自動取引装置。
【請求項３】
請求項２記載の自動取引装置において、
前記取引媒体の先端を更に突出させる場合の突出長のデータを前記取引媒体の磁気ストライプに記録し、この突出長のデータに基づいて前記取引媒体の先端を突出させることを特徴とする自動取引装置。
【請求項４】
請求項２記載の自動取引装置において、
前記取引媒体の先端を更に突出させる場合の突出長のデータを上位装置に登録しておき、突出長のデータを上位装置から取得して前記取引媒体の先端を突出させることを特徴とする自動取引装置。
【請求項５】
請求項２記載の自動取引装置において、
前記取引媒体の先端を更に突出させる場合の突出長を選択する突出長選択画面を前記操作表示部に表示し、この突出長選択画面上で顧客が選択した突出長に基づいて前記取引媒体の先端を突出させることを特徴とする自動取引装置。
【発明の詳細な説明】
【技術分野】
【０００１】
本発明は、顧客がカード等の取引媒体を用いて取引を行う自動取引装置に関するものである。
【背景技術】
【０００２】
金融機関の営業店やコンビニエンスストア等には、顧客が操作して各種の取引を行う自動取引装置が設置されている。
このような自動取引装置は、取引に際して顧客にカードを挿入させ、その取引カードを搬送しつつ、カードに設けられている磁気ストライプから口座番号や支店番号等のカードデータをカードリーダで読取り、取引終了時にカードを排出して顧客に返却するようにしているが、近年この自動取引装置におけるカードリーダのカード挿入排出口にスキミング装置を取付け、取引を行う顧客のカードからカードデータを読取って不正利用する犯罪が増加してきている。
【０００３】
スキミング装置は、自動取引装置に装備されているカード挿入排出口に取付けたとき、一見しただけでは最初から自動取引装置に装備されている正規のカード挿入口と見分けがつかないほど精巧にできており、顧客にまったく気付かれることなくカードから口座データを読取ることができるものが多い。
そこで、金融機関においてはスキミング装置による口座データの不正取得を防止する対策として、付勢に取り付けられるスキミング装置を検出する手段を講じている。
【０００４】
その１つとして、カード挿入口の周囲に複数色の光源を有するフリッカを設け、顧客が入力兼表示部で取引を選択すると、装置の制御部が複数種類用意されている発光パターンの１つを選択し決定して、その入力兼表示部に表示部に決定した発光パターンの発光色で点灯しているフリッカの点灯状態静止画像と、消灯状態静止画像を入力兼表示部に交互に表示すると共に、カード挿入口周囲のフリッカを決定した発光パターンの発光色で点灯と消灯を交互に繰返すように発光させ、画像によるフリッカの発光パターンとカード挿入排出口周囲のフリッカの発光パターンが一致しているか否かを確認させるようにすることで、発光機能を備えたスキミング装置がカード挿入排出口に取付けられても、発光パターンの相違からスキミング装置の存在を認識できるようにした自動取引装置がある（例えば、特許文献１参照）。
【０００５】
また、ＡＴＭ（自動取引装置）のカード挿入部を正面上部から撮影できる位置にオートフォーカス制御機能つきのレンズを装着した撮像装置を取り付け、カード挿入部にスキミング装置が被装されたとき、撮像装置がスキミング装置までの焦点距離の変化を検出して、オートフォーカス制御機能を駆動するオートフォーカス制御部から撮像距離情報を演算部に送り、演算部はその撮像距離情報があらかじめ定めた範囲内にあるときスキミング装置が被装されたと判断して警報を出力するようにしたシステムも提案されている（例えば、特許文献２参照）。
【特許文献１】特開平２００７−２７９８７７号公報
【特許文献２】特開平２００８−２２５６７０号公報
【発明の開示】
【発明が解決しようとする課題】
【０００６】
しかしながら、上述した従来の技術においては、自動取引装置のカード挿入口に複数色の光源を有するフリッカを設けたり、オートフォーカス機能を有する撮像装置をカード挿入口が撮像可能な位置に設置しなければならないため、機械的な部品や装置の追加が必要となり、それに要する時間や費用がかかるという問題がある。
本発明は、このような問題を解決することを課題とする。
【課題を解決するための手段】
【０００７】
そのため、本発明は、取引の選択や取引に必要な顧客の操作の誘導を行う画面などを表示する操作表示部と、媒体挿入排出口から挿入された顧客の取引媒体を取込んで該取引媒体に設けられている磁気ストライプからデータを読取るデータ読取り部を備えた自動取引装置において、取引媒体排出時に、取引媒体の先端が前記媒体挿入排出口から突出する長さを、顧客が取引媒体を指先で摘んで引抜くために必要な最低限の長さ以上でかつ前記媒体挿入排出口に取付けられるスキミング装置の厚さ以下の長さになるように制御することを特徴とする。
【発明の効果】
【０００８】
このようにした本発明は、機械的な部品や装置の追加、及びそれに要する時間や費用をかけることなく、取引に用いるカード等の取引媒体の所有者である顧客に対してスキミング装置が取り付けられていることを確実に認識させて、データの不正使用を予防することができるという効果が得られる。
【発明を実施するための最良の形態】
【０００９】
以下、図面を参照して本発明による自動取引装置の実施例を説明する。
【実施例】
【００１０】
図１は本発明によるＡＴＭの実施例を示すブロック図である。
図において１は金融機関の営業店等に設置された自動取引装置（以下、ＡＴＭ）で、カード処理部（読取り部）２、音声案内部３、通帳処理部（読取り部）４、紙幣入出金部５、硬貨入出金部６、操作表示部８、メモリ部（記憶部）９、インターフェース１０、及びこれらを制御する制御部７を備えている。
【００１１】
図２は実施例のＡＴＭ１の外観を示す斜視図で、正面上部に設定されたほぼ水平あるいは若干傾斜した平面部と立面部からなる接客部が設けられており、その立面部にカード挿入排出口２ａとスピーカ３ａ及び通帳挿入排出口４ａが設けられ、また平面部の奥側に紙幣入出金口５ａと硬貨入出金口６ａが、手前側に操作表示部８がそれぞれ設けられている。
【００１２】
これらカード挿入排出口２ａ、スピーカ３ａ、通帳挿入排出口４ａ、紙幣入出金口５ａ、硬貨入出金口６ａは、図１に示したカード処理部２、音声案内部３、通帳処理部４、紙幣入出金部５、硬貨入出金部６と対応して配置されており、カード処理部２はカード挿入排出口２ａから挿入される顧客の取引媒体であるカードの磁気ストライプ（磁気データ記録部）に対して口座番号等のカードデータ（取引用データ）の読取り及び必要に応じて所定のデータの書込みを行い、通帳処理部４は通帳挿入排出口４ａから挿入される顧客の通帳の磁気ストライプ（磁気データ記録部）に対して口座番号等の通帳データ（取引用データ）の読取りを行うとともに該通帳の印字欄に取引内容や未記帳データ等の印字を行うものとなっている。
【００１３】
尚、カード処理部２はカードの磁気ストライプに対してカードデータの読取りのみを行うカードリーダであってもよい。
また、紙幣入出金部５は顧客により紙幣入出金口５ａに投入される入金紙幣を鑑別、計数して紙幣収納部に収納する入金処理及び顧客が指定した金種、金額の紙幣を紙幣収納部から繰り出して鑑別、計数した後、紙幣入出金口５ａから出金する出金処理を行い、硬貨入出金部６は顧客により硬貨入出金口６ａに投入される入金硬貨を鑑別、計数して硬貨収納部に収納する入金処理及び顧客が指定した金種、金額の硬貨を硬貨収納部から繰り出して鑑別、計数した後、硬貨入出金口６ａから出金する出金処理を行うものとなっている。
【００１４】
音声案内部３は顧客の操作を誘導するメッセージ等をガイダンス音声としてスピーカ３ａから出力するものとなっている。
操作表示部８は顧客の操作を誘導するメッセージを配した画面や各種の入力キーを表示し、その入力キーをタッチパネル上から指で押下することにより、入力キーに定義された情報を入力できるものとなっていて、入力された情報の表示等も行うようになっている。
【００１５】
メモリ部９は、取引時における入力データ等を記憶する他、装置の動作を制御するための制御プログラムが格納されており、また取引選択画面や各取引における処理ステップ毎の案内画面や入力画面等もこのメモリ部９に格納されている。
制御部７は、メモリ部９に格納されている制御プログラムに基づいてカード処理部２、音声案内部３、通帳処理部４、紙幣入出金部５、硬貨入出金部６、操作表示部８等を制御すると共に、メモリ部９に格納されている画面を随時操作表示部８に表示して各種の取引を遂行する機能を有しており、その遂行に当たっては、インターフェース１０を介して上位装置であるホストコンピュータと通信を行い、必要な情報の授受を行うものとなっている。
【００１６】
尚、ホストコンピュータは、金融機関のセンタ等に設置されていて、各顧客の氏名、口座番号、暗証番号、取引履歴の未記帳データ、及び残高等を口座データとして管理する機能を有している。
図３はカード処理部２の内部構造を示す側面図で、図示したようにカード挿入排出口２ａから奥（装置内部）に向かって直線状の搬送路１０が設けられており、この搬送路１０は上下一対のガイド板に挟まれた空間として形成されている。
【００１７】
１１はカード処理部２内のカード挿入排出口２ａ近傍に配置されたカード検知手段としての検知センサで、搬送路１０を挟んで上下に対向する発光素子と受光素子により構成されている。
１２ａ〜１２ｄと１３ａ〜１３ｄは搬送路１０に沿って設けられた搬送手段を成す複数対の搬送ローラとプレッシャローラで、各対毎に上下に対向するように設けられている。
【００１８】
この搬送ローラ１２ａ〜１２ｄは図示しないステッピングモータ（駆動源）により図示しないギアやベルト等を介して駆動され、プレッシャローラ１３ａ〜１３ｄとの間にカードを挟持して回転することで、カードを搬送するものとなっている。
１４は後述するカードの磁気ストライプに記録された磁気データの読取り処理等を行う磁気ヘッドで、搬送路３の所定の位置、例えば搬送ローラ１２ｂと１２ｃの間の位置に設けられ、その上方にカードを磁気ヘッド１４に押付けるプレッシャローラ１５が配置されている。
【００１９】
１６はＡＴＭ１で取引を行う顧客が取引媒体として使用するカードで、磁気ストライプを有し、この磁気ストライプに顧客の口座番号や支店番号等のカードデータが磁気記録されている。
次に上述した構成の作用について説明する。
尚、以下に説明する各部の動作は、メモリ部９に格納されたプログラム（ソフトウェア）に基づいて制御部７により制御されるものとする。
【００２０】
金融機関の営業店等に来店した顧客がＡＴＭ１の前に立ち、操作表示部８に表示された取引選択画面上で取引を選択すると、制御部７は選択された取引のプログラムに基づいて処理を実行する。
例えば、出金取引が選択された場合、カードの挿入を促す画面を操作部表示部８に表示させ、これに従って図３（ａ）に示すように顧客がカード処理部２のカード挿入排出口２ａにカード１６を挿入し、そのカード１６の先端が検知センサ１１により検知されると、図示しないステッピングモータ（駆動源）により図示しないギアやベルト等を介して搬送ローラ１２ａ〜１２ｄが駆動され、これにより搬送ローラ１２ａ〜１２ｄはカード取込み方向に回転する。
【００２１】
そしてカード１６の先端が搬送ローラ１２ａとプレッシャローラ１３ａとの間に挿入されると、搬送ローラ１２ａ〜１２ｄの回転によりカード１６は図３（ｂ）に示すようにカード処理部２内に取り込まれて搬送され、磁気ヘッド１４によりカード１６に設けられている磁気ストライプから顧客の口座番号や支店番号等のカードデータが読取られる。
カードデータが読取られたカード１６は磁気ヘッド１４とプレッシャローラ１５との間を通過するまで搬送ローラ１２ｂ、１２ｃとプレッシャローラ１３ｂ、１３ｃに挟持されて更に送られ、そしてカード１６が搬送ローラ１２ｃ、１２ｄとプレッシャローラ１３ｃ、１３ｄに挟持されると、制御部７はステッピングモータを停止させ、搬送ローラ１２ａ〜１２ｄの回転が停止される。
【００２２】
これによりカード１６は搬送ローラ１２ｃ、１２ｄとプレッシャローラ１３ｃ、１３ｄに挟持された状態で停止されて待機する。
その後、操作表示部８に表示される画面に従って顧客により暗証番号の入力、出金金額の入力が行われると、制御部７はその入力された暗証番号と出金金額及びカードデータをインターフェース１０を介してホストコンピュータに送信し、そしてホストコンピュータから取引を許可する旨の情報を受信すると、制御部７は紙幣入出金部５や硬貨入出金部６により出金金額分の出金を行い、紙幣入出金口５ａや硬貨入出金口６ａから顧客に現金を支払う。
【００２３】
同時に制御部７は、図示しないステッピングモータを駆動して搬送ローラ１２ａ〜１２ｄをカード排出方向に回転させる。
これによりカード１６はカード挿入排出口２ａに向かって搬送され、そしてカード１６の先端が検知センサ１１により検知されると、制御部７は検知センサ１１によるカード検知時点からステッピングモータを所定パルス分駆動してから、ステッピングモータを停止することで、図３（ｃ）に示すようにカード１６の先端がカード挿入排出口２ａから所定長突出して停止するように制御する。
【００２４】
この場合の所定長は、顧客がカード１６を指先で摘んで引抜くために必要な最低限の長さ（例えば１ｍｍ程度）であればよいが、顧客がカード１６を指先で摘んで引抜くために必要な最低限の長さ以上でかつ後述するスキミング装置の厚さ（カード挿入排出方向における長さ）以下とする。
一般に、カード排出時におけるカード挿入排出口２ａからのカード先端の突出長は顧客がカード１６を指先で摘んで引抜く操作を容易に行えるように２８ｍｍ程度の長さに設定されている。
【００２５】
しかしながらこれによると、カード挿入排出口２ａにスキミング装置が取付けられた場合、カード１６の先端はスキミング装置からも突出するため、顧客はスキミング装置の存在を見逃すことになる。
図４はカード挿入排出口２ａにスキミング装置が取付けられた例を示す側面図である。
図において１７はスキミング装置で、カード挿入排出口２ａに連通する透孔１７ａを有している。
【００２６】
また、スキミング装置１７内にはカード１６が透孔１７ａを通過する際、カードデータを読み取る磁気ヘッドや、読取ったカードデータを記憶するメモリや無線によりカードデータを外部に送る送信機等が実装されている。
このようなスキミング装置１７は、取付けたことが気付かれないように精巧に、あるいはカード挿入排出口２ａの一部であるかのように作られ、厚さも１０ｍｍ程度に抑えられている。
【００２７】
そのため、カード排出時におけるカード挿入排出口２ａからのカード１６の先端の突出長が２８ｍｍ程度あると、カード１６の先端は図４に破線で示したようにスキミング装置１７の透孔１７ａから外部に突出し、顧客はスキミング装置１７の存在を見逃したままカード１６を引抜いて帰ってしまうことになる。
それに対して、本実施例では、カード１６の先端がカード挿入排出口２ａから突出する長さを、顧客がカード１６を指先で摘んで引抜くために必要な最低限の長さ以上で、後述するスキミング装置１７の厚さ以下の長さになるように制御するため、図４に実線で示したようにカード１６の先端はスキミング装置１７の透孔１７ａに留まり、顧客がカード１６を引き抜くことが不可能になり、これにより顧客はスキミング装置１７の存在を認識することができる。
【００２８】
その際、操作表示部８で特定のメッセージを画面表示したり、スピーカ３ａから音声出力するようにすると、より効果的である。
図５はカード排出時に操作表示部８に表示するカード抜取りを促す画面例を示す図で、この図に示したように、カード排出時に「カードを抜取ってください。」というカード抜取りを促すメッセージと共に、「抜取れない場合は、スキミング装置が不正に取付けられている可能性があるので近くの係員にご通報ください。」等の警告のメッセージを配した画面を表示し、音声案内部３により同様のメッセージをスピーカ３ａから音声出力することで顧客に知らせれば、顧客はカード１６の引抜ができないことを近くの係員に知らせることができる。
【００２９】
これにより、係員は直ちにスキミング装置１７を取外して被害の拡大を防ぐ処置をとることになる。
その際、画面上に表示された確認ボタン１８を押すことで、スキミング装置１７の取外し処理を行ったことを入力し、取引を終了させるようにする。
この場合、カードデータはカード挿入時に読取られて外部に送信されている可能性もあるので、スキミング装置１７を取外した場合、カード１６を引抜いた後，顧客の口座番号を変更し、カードデータを書換えるようにする。
【００３０】
スキミング装置１７が取付けられていない場合、顧客はカード挿入排出口２ａから所定長突出しているカード１６の先端を指先で摘んで引抜き、取引は終了となる。
尚、ＡＴＭ１の近くに係員が常駐していない場合や、ＡＴＭ１が無人店舗等に設置されている場合は、ＡＴＭ１に備えられて係員通報用のハンドセット等で係員等に通報できるようにすることも可能である。
【００３１】
以上説明した実施例は、カード排出時にカード１６の先端がカード挿入排出口２ａから突出する長さを、顧客がカード１６を指先で摘んで引抜くために必要な最低限の長さ以上でかつスキミング装置１７の厚さ以下の長さになるように制御するため、カード挿入排出口２ａにスキミング装置１７が取付けられた場合、顧客がカード１６を引き抜くことが不可能になり、そのため機械的な部品や装置の追加、及びそれに要する時間や費用をかけることなく、顧客に対してスキミング装置１７が取り付けられていることを確実に認識させて、データの不正使用を予防することができるという効果が得られる。
【００３２】
尚、上述した実施例では、出金取引時におけるカード排出を例にして説明したが、カード処理部２に取込んだカード１６を排出する場合のすべてに適用可能であり、またカード１６のみでなく、通帳を取引媒体として用いる場合にも、その排出時に同様に制御することで同様の効果を得ることができる。
また、上述した実施例では、カード排出時にカード１６の先端をカード挿入排出口２ａから突出させる長さ（突出長）を、顧客がカード１６を指先で摘んで引抜くために必要な最低限の長さ以上で、かつスキミング装置１７の厚さ以下の長さになるように制御するものとしたが、本発明はこれに限られるものではく、以下のようにすることも可能である。
【００３３】
例えば、カード排出時におけるカード挿入排出口２ａからのカード先端の突出長を、顧客がカード１６を指先で摘んで引抜くために必要な最低限の長さとし、カード１６の先端をカード挿入排出口２ａから突出させたとき、操作表示部８にカード１６の先端が出ているか否かを確認させる画面を表示する。
そして、その画面に表示される「はい」、「いいえ」ボタンの押下によりカード１６の先端が出ている、出ていない入力させ、出ていることを示す「はい」ボタンが押下された場合、更にカード１６の先端が引抜き易い長さ（例えば２０ｍｍ）になるまでカード挿入排出口２ａから突出させて顧客に引抜きを行わせ、出ていないことを示す「いいえ」ボタンが押下された場合は、前記図５のカード抜取りを促す画面を表示して、前記と同様の処理を行う。
【００３４】
このようにすることで前記実施例と同様の効果が得られる。
また、前記のように操作表示部８にカード１６の先端が出ているか否かを確認させる確認画面を表示し、出ていることを示す「はい」ボタンが押下された場合に、更にカード１６の先端のカード挿入排出口２ａからの突出長さを顧客の希望に応じて決めることも可能である。
【００３５】
この場合の方法としては、カード１６の磁気ストライプにその突出長のデータを記録し、カードデータの読取時に突出長のデータも読取って、突出長を制御したり、突出長のデータをホストコンピュータにあらかじめ登録しておき、ホストコンピュータから適時突出長のデータを取得して、突出長を制御することが考えられる。
更に、操作表示部８に、突出長を選択する突出長選択画面を表示して、顧客に選択させることも可能である。
【００３６】
図６はカード１６の突出長選択画面例を示す図で、この図に示したように「カードの先端を出します。出す長さを下のボタンで選んでください。」等の選択を促すメッセージと共に、例えば「１ｃｍ」、「２ｃｍ」、「３ｃｍ」等の突出長を選択させる選択ボタン１９ａ〜１９ｃを表示し、顧客が選択ボタン１９ａ〜１９ｃのいずれかを押下することにより選択した突出長に応じてカード１６の先端をカード挿入排出口２ａから突出させるように制御する。
【図面の簡単な説明】
【００３７】
【図１】実施例を示すブロック図
【図２】実施例の外観を示す斜視図
【図３】カード処理部の内部構造を示す側面図
【図４】スキミング装置が取付けられた例を示す側面図
【図５】カード抜取りを促す画面例を示す図
【図６】カード先端の突出長選択画面例を示す図
【符号の説明】
【００３８】
１    ＡＴＭ
２    カード処理部
２ａ  カード挿入排出口
３    音声案内部
３ａ  スピーカ
４    通帳処理部
４ａ  通帳挿入排出口
５    紙幣入出金部
５ａ  紙幣入出金口
６    硬貨入出金部
６ａ  硬貨入出金口
７    制御部
８    操作表示部
９    メモリ部（記憶部）
１０  インターフェース
１１  検知センサ
１２ａ〜１２ｄ  搬送ローラ
１３ａ〜１３ｄ  プレッシャローラ
１４  磁気ヘッド
１５  プレッシャローラ
１６  カード
１７  スキミング装置
１８  確認ボタン
１９ａ〜１９ｃ  選択ボタン
【図１】
2010122833.tif 000003
【図２】
2010122833.tif 000004
【図３】
2010122833.tif 000005
【図４】
2010122833.tif 000006
【図５】
2010122833.tif 000007
【図６】
2010122833.tif 000008